Podtech/llm-jp-corpus-v4-ja_patent huggingface dataset:
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
約８．４度、１０．８度、２０．０度、２０．４度、及び２１．２度±０．２度２θにおけるX線反射を特徴とするガチフロキサシンの結晶質形態。
【請求項２】
図１に実質的に示されるX線回折図を有する、請求項１に記載のガチフロキサシンの結晶質形態。
【請求項３】
図３に実質的に示されるDSCサーモグラムを有する、請求項２に記載のガチフロキサシンの結晶質形態。
【請求項４】
請求項１に記載のガチフロキサシンの結晶質形態を調製するための方法であって：
a)アセトニトリルとエタノールのおよそ１：１（ｖ/ｖ）混合物中、ガチフロキサシンの溶液を還流（温度）で提供し、
b)当該溶液を約５３℃〜約５６℃の温度へ冷却し、
c)当該溶液を約５３℃〜約５６℃の温度で、ある保持時間に渡り維持し、
d)当該溶液を約５℃の温度へと冷却することによってスラリーを獲得し、そして
e)当該スラリーからガチフロキサシン結晶質形態Oを単離する、
段階を含んで成る方法。
【請求項５】
前記冷却段階b)の後に、前記冷却した溶液にガチフロキサシンを播種する段階を更に含んで成る、請求項４に記載の方法。
【請求項６】
前記保持時間が約２時間である、請求項５に記載の方法。
【請求項７】
前記単離段階（f）の前に、前記スラリーを約５℃で約２時間に渡り維持する、請求項４に記載の方法。
【請求項８】
約１０重量％〜約１５重量％の含水率を有する、請求項１に記載のガチフロキサシンの結晶質形態。
【請求項９】
請求項１に記載のガチフロキサシンとガチフロキサシンセスキ水和物との、重量比で約８０：２０の混合物を調製するための方法であって、ガチフロキサシン形態Cをある曝露時間に渡り約６０％以上の相対湿度を有する雰囲気に対して曝す段階を含んで成る方法。
【請求項１０】
前記曝露時間が約２４時間以上である、請求項９に記載の方法。
【請求項１１】
請求項１に記載のガチフロキサシンとガチフロキサシンセスキ水和物との、重量比で約１：１の混合物を調製するための方法であって、ガチフロキサシン形態オメガをある曝露時間に渡り約６０％以上の相対湿度を有する雰囲気に対して曝す段階を含んで成る方法。
【請求項１２】
前記曝露時間が約２４時間以上である、請求項１１に記載の方法。
【請求項１３】
請求項１に記載のガチフロキサシンとガチフロキサシンセスキ水和物との、重量比で約１：１の混合物を調製するための方法であって、ガチフロキサシン形態TEをある曝露時間に渡り約８０％以上の相対湿度を有する雰囲気に対して曝す段階を含んで成る方法。
【請求項１４】
前記曝露時間が約２４時間以上である、請求項１３に記載の方法。
【請求項１５】
結晶質ガチフロキサシン形態O。
【請求項１６】
約６．０度、１４．１度、２１．１度、及び２２．５度±０.２度２θにおけるX線反射を特徴とする、ガチフロキサシンの結晶質形態。
【請求項１７】
図２において実質的に示されるX線回折図を有する、請求項１６に記載のガチフロキサシンの結晶質形態。
【請求項１８】
約１重量％〜約３重量％の含水率を有する、請求項１６に記載のガチフロキサシンの結晶質形態。
【請求項１９】
請求項１６に記載の結晶質ガチフロキサシンを調製するための方法であって：
a)アセトニトリル中、ガチフロキサシンの溶液を還流（温度）で提供し、
b)当該溶液を約１℃/分の速度で冷却することで周囲温度へと冷却することによって懸濁を獲得し、
c)更に当該懸濁を強制的に約５℃以下に冷却し、
d)当該懸濁から固体を単離し、そして
e)当該単離した固体を湿ったガスで処理して形態Vを獲得する、
段階を含んで成る方法。
【請求項２０】
ガチフロキサシン結晶質形態V。
【請求項２１】
ガチフロキサシン形態Oを含んで成る医薬組成物。
【請求項２２】
ガチフロキサシン形態Vを含んで成る医薬組成物。
【手続補正２】
【補正対象書類名】明細書
【補正対象項目名】００４１
【補正方法】変更
【補正の内容】
【００４１】
更なる実施態様において、本発明は、形態Vと命名され、約６．０度、１４．１度、２１．１度、及び２２．５度±０.２度２θにおけるX線反射を特徴とする、ガチフロキサシンの新規結晶質形態を提供する。図２は、形態Vの典型的なX線回折図を示す。
【手続補正３】
【補正対象書類名】明細書
【補正対象項目名】００７４
【補正方法】変更
【補正の内容】
【００７４】
【図１】ガチフロキサシン形態Oの典型的なX線回折図である。
【図２】ガチフロキサシン形態Vの典型的なX線回折図である。
【図３】ガチフロキサシン形態Oの典型的なDSCサーモグラムである。
【図４】ガチフロキサシン形態Oの典型的なTGAサーモグラムである。
【図５】ガチフロキサシン形態Vの典型的なTGAサーモグラムである。
【図６】形態Oとガチフロキサシンセスキ水和物の、重量で約１：１の混合物（５０：５０）のX線回折ダイアグラムである。
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2005532318.tif 000001
［式中、
ＡおよびＢは、基−（ＣＨ２）ｍ−および−（ＣＨ２）ｎ−をそれぞれ表す；
Ｒ１は、水素またはＣ１−６アルキルを表す；
Ｒ２は、水素、ハロゲン、ヒドロキシ、シアノ、ニトロ、ヒドロキシＣ１−６アルキル、トリフルオロメチル、トリフルオロメトキシ、Ｃ１−６アルキル、Ｃ１−６アルコキシ、Ｃ１−６フルオロアルコキシ、−（ＣＨ２）ｐＣ３−６シクロアルキル、−（ＣＨ２）ｐＯＣ３−６シクロアルキル、−ＣＯＣ１−６アルキル、−ＳＯ２Ｃ１−６アルキル、−ＳＯＣ１−６アルキル、−Ｓ−Ｃ１−６アルキル、−ＣＯ２Ｃ１−６アルキル、−ＣＯ２ＮＲ７Ｒ８、−ＳＯ２ＮＲ７Ｒ８、−（ＣＨ２）ｐＮＲ７Ｒ８、−（ＣＨ２）ｐＮＲ７ＣＯＲ８、置換されていてもよいアリール、置換されていてもよいヘテロアリールまたは置換されていてもよいヘテロサイクリルを表す；
Ｒ３は、水素またはＣ１−６アルキルを表す；
Ｒ４は、置換されていてもよいアリールまたは置換されていてもよいヘテロアリールを表す；
Ｒ５およびＲ６はそれぞれ独立に、水素、ハロゲン、ヒドロキシ、シアノ、ニトロ、ヒドロキシＣ１−６アルキル、トリフルオロメチル、トリフルオロメトキシ、Ｃ１−６アルキル、Ｃ１−６アルコキシ、−（ＣＨ２）ｐＣ３−６シクロアルキル、−（ＣＨ２）ｐＯＣ３−６シクロアルキル、−ＣＯＣ１−６アルキル、−ＳＯ２Ｃ１−６アルキル、−ＳＯＣ１−６アルキル、−Ｓ−Ｃ１−６アルキル、−ＣＯ２Ｃ１−６アルキル、−ＣＯ２ＮＲ７Ｒ８、−ＳＯ２ＮＲ７Ｒ８、−（ＣＨ２）ｐＮＲ７Ｒ８、−（ＣＨ２）ｐＮＲ７ＣＯＲ８、置換されていてもよいアリール、置換されていてもよいヘテロアリールまたは置換されていてもよいヘテロサイクリルを表す；
Ｒ７およびＲ８はそれぞれ独立に、水素、Ｃ１−６アルキルを表すか、それらが結合している窒素またはその他の原子とともに、アザシクロアルキル環またはオキソ−置換アザシクロアルキル環を形成する；
ｍおよびｎは独立に、１および２から選択される整数を表す；
ｐは独立に０、１、２および３から選択される整数を表す； 
そして：
Ｚは、−ＣＲ９Ｒ１０Ｘ−または−ＸＣＲ９Ｒ１０−を表し、Ｘは酸素、硫黄、−ＳＯ−または−ＳＯ２を表すか、あるいは、
Ｚは、−Ｓ−ＣＯＮＲ１１−または−ＮＲ９ＣＯ−を表す；
Ｒ９およびＲ１０はそれぞれ独立に、水素、Ｃ１−６アルキルまたはフルオロを表す；
Ｒ１１は、水素またはＣ１−６アルキルを表す；］
またはその医薬上許容される塩または溶媒和化合物。
【請求項２】
以下のいずれかの式（Ｉ）の化合物；
４−ベンジルオキシ−Ｎ−（８−ブロモ−２，３，４，５−テトラヒドロ−１Ｈ−ベンゾ［ｄ］アゼピン−７−イル）−ベンゼンスルホンアミド；
４−ベンジルオキシ−Ｎ−（８−ブロモ−３−メチル−２，３，４，５−テトラヒドロ−１Ｈ−ベンゾ［ｄ］アゼピン−７−イル）−ベンゼンスルホンアミド；
４−（４−クロロ−フェノキシメチル）−Ｎ−（３−メチル−２，３，４，５−テトラヒドロ−１Ｈ−３−ベンズアゼピン−７−イル）−ベンゼンスルホンアミド；
４−（４−フルオロ−ベンジルアミノ）−Ｎ−（８−メトキシ−３−メチル−２，３，４，５−テトラヒドロ−１Ｈ−３−ベンズアゼピン−７−イル）−ベンゼンスルホンアミド；
［（４−フルオロ−ベンジル）−メチル−アミノ］−Ｎ−（８−メトキシ−３−メチル−２，３，４，５−テトラヒドロ−１Ｈ−３−ベンズアゼピン−７−イル）−ベンゼンスルホンアミド；
４−［（４−フルオロ−フェニルアミノ）−メチル］−Ｎ−（８−メトキシ−３−メチル−２，３，４，５−テトラヒドロ−１Ｈ−３−ベンズアゼピン−７−イル）−ベンゼンスルホンアミド；
４−｛［（４−フルオロ−フェニル）−メチル−アミノ］−メチル｝−Ｎ−（８−メトキシ−３−メチル−２，３，４，５−テトラヒドロ−１Ｈ−３−ベンズアゼピン−７−イル）−ベンゼンスルホンアミド；
４−｛［（４−フルオロ−フェニル）−メチル−アミノ］−メチル｝−Ｎ−（８−メトキシ−３−メチル−２，３，４，５−テトラヒドロ−１Ｈ−３−ベンズアゼピン−７−イル）−ベンゼンスルホンアミド；
Ｎ−（８−ジメチルアミノ−３−メチル−２，３，４，５−テトラヒドロ−１Ｈ−３−ベンズアゼピン−７−イル）−４−（４−フルオロ−ベンジルオキシ）−ベンゼンスルホンアミド；
Ｎ−（８−ジメチルアミノ−３−メチル−２，３，４，５−テトラヒドロ−１Ｈ−３−ベンズアゼピン−７−イル）−［（４−フルオロ−ベンジル）−メチル−アミノ］−ベンゼンスルホンアミド；
Ｎ−（８−ジメチルアミノ−３−メチル−２，３，４，５−テトラヒドロ−１Ｈ−３−ベンズアゼピン−７−イル）−［（４−フルオロ−ベンジル）−メチル−アミノ］−ベンゼンスルホンアミド；および、
Ｎ−（ジメチルアミノ−メチル−２，３，４，５−テトラヒドロ−１Ｈ−３−ベンズアゼピン−７−イル）−４−｛［（４−フルオロ−フェニル）−メチル−アミノ］−メチル｝−ベンゼンスルホンアミド。
【請求項３】
請求項１または請求項２に記載の式（Ｉ）の化合物またはその医薬上許容される塩および医薬上許容される担体を含む医薬組成物。
【請求項４】
治療に使用するための請求項１または請求項２に記載の式（Ｉ）の化合物またはその医薬上許容される塩または溶媒和化合物。
【請求項５】
ドーパミン受容体の調節を必要とする症状の治療に使用するための請求項１または請求項２に記載の式（Ｉ）の化合物またはその医薬上許容される塩または溶媒和化合物。
【請求項６】
精神病性障害、パーキンソン病、薬物乱用、運動障害、抑欝、双極性障害、不安、認知障害、摂食障害、肥満、性機能障害、睡眠障害、嘔吐、運動障害、強迫性障害、健忘症、攻撃性、自閉症、眩暈、痴呆、概日リズム障害および胃運動障害の治療に使用するための請求項１または請求項２に記載の式（Ｉ）の化合物またはその医薬上許容される塩または溶媒和化合物。
【請求項７】
ドーパミン受容体の調節を必要とする症状の治療薬の製造のための請求項１または請求項２に記載の式（Ｉ）の化合物またはその医薬上許容される塩または溶媒和化合物の使用。
【請求項８】
精神病性障害、パーキンソン病、薬物乱用、運動障害、抑欝、双極性障害、不安、認知障害、摂食障害、肥満、性機能障害、睡眠障害、嘔吐、運動障害、強迫性障害、健忘症、攻撃性、自閉症、眩暈、痴呆、概日リズム障害および胃運動障害の治療薬の製造のための請求項１または請求項２に記載の式（Ｉ）の化合物またはその医薬上許容される塩または溶媒和化合物の使用。
【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
眼の障害の処置のための薬の製造のためのケージングされた組織変更分子の使用であって、該ケージングされた組織変更分子は、眼組織における、エネルギー源への曝露までは不活性である、使用。
【請求項２】
前記組織変更分子が、タンパク質、洗剤、または界面活性剤である、請求項１に記載の使用。
【請求項３】
前記タンパク質が、酵素である、請求項２に記載の使用。
【請求項４】
前記酵素が、マトリックスメタロプロテイナーゼ、コレステロールエステラーゼ、リパーゼ、カテプシン、プロテアーゼ、またはそれらの組み合わせである、請求項３に記載の使用。
【請求項５】
前記プロテアーゼが、セリンプロテアーゼである、請求項４に記載の使用。
【請求項６】
前記タンパク質が、さらにタンパク質結合ドメインを含む、請求項２〜５のいずれか１項に記載の使用。
【請求項７】
前記タンパク質結合ドメインが、ヘテロダイマードメインである、請求項６に記載の使用。
【請求項８】
前記タンパク質結合ドメインが、ロイシンジッパードメイン、キチン結合ドメイン、またはＳｒｃ相同性２（ＳＨ２）ドメインである、請求項７に記載の使用。
【請求項９】
前記組織変更分子が、
（ｉ）超音波造影剤；および／または
（ｉｉ）該分子のアミノ酸側鎖上の少なくとも１つの光除去可能な保護基
によってケージングされている、請求項１〜８のいずれか１項に記載の使用。
【請求項１０】
前記超音波造影剤が、微小な泡またはリポソームである、請求項９に記載の使用。
【請求項１１】
前記保護基が、ｏ−ニトロベンジル、デシル、フェナシル、トランス−ｏ−シンナモイル、クマリニル、キノリン−２−オニル、キサンテニル、チオキサンテニル、セレノキサンテニルおよびアントラセニル、スチルベニル、もしくはそれら誘導体の組み合わせであり；そして／または前記アミノ酸が、システイン、アスパルテート、グルタメート、ヒスチジン、リジン、アスパラギン、グルタミン、アルギニン、セリン、トレオニン、チロシン、またはそれらの組み合わせである、請求項９または１０に記載の使用。
【請求項１２】
前記処置が、
前記眼組織に、前記ケージングされた組織変更分子を、該分子を該組織へと標的化するために充分な量で投与する工程；および
該分子をエネルギー源に曝露する工程であって、ここで該エネルギー源が、該ケージングされた組織変更分子を活性化して、活性形態にして、該眼組織の少なくとも一部の変化をもたらす、工程
を包含する、請求項１〜１２のいずれか１項に記載の使用。
【請求項１３】
前記眼組織が、ブルッフ膜である、請求項１２に記載の使用。
【請求項１４】
前記処置が、前記眼における前記眼組織を可視化する工程をさらに包含する、請求項１２または１３に記載の使用。
【請求項１５】
前記可視化する工程が、前記膜についての標的化蛍光標識の送達、該膜の固有の自己蛍光の同定、または光学干渉断層撮影法（ＯＣＴ）ドップラーによって達成される、請求項１４に記載の使用。
【請求項１６】
前記蛍光標識が、ケージングされた組織変更薬剤へと取り込まれる、請求項１５に記載の使用。
【請求項１７】
前記ケージングされた組織変更分子が、ブルッフ膜における脂質と会合する、請求項１〜１６のいずれか１項に記載の使用。
【請求項１８】
前記エネルギーが、光または超音波である、請求項１〜１７のいずれか１項に記載の使用。
【請求項１９】
前記エネルギー源が、２光子照射である、請求項１〜１８のいずれか１項に記載の使用。
【請求項２０】
前記分子に曝露されるのが、焦点レーザー源からの光エネルギーである、請求項１２〜１９のいずれか１項に記載の使用。
【請求項２１】
前記ケージングされた組織変更分子をエネルギー源に曝露することにより、前記眼における組織の変更が生じる、請求項１〜２０のいずれか１項に記載の方法。
【請求項２２】
前記変更が、前記組織の化学的特性、および／または該組織の物理的特性の変化からなる、請求項２１に記載の使用。
【請求項２３】
前記組織の変更が、拡散における増加を含む、請求項２１または２２に記載の使用。
【請求項２４】
前記増加が、前記膜の厚さの減少、および／または該膜の組成の変化から生じる、請求項２３に記載の使用。
【請求項２５】
前記拡散における増加が、前記膜における脂質および／またはタンパク質の変更の結果である、請求項２３または２４に記載の使用。
【請求項２６】
前記眼の障害が、加齢性黄斑変性、若齢性黄斑変性、ソルビー眼底ジストロフィー、または黄斑変性とは無関係の、視覚機能における加齢性低下、または緑内障である、請求項１〜２５のいずれか１項に記載の使用。
【請求項２７】
前記ケージングされた組織変更分子が、経口投与、直腸投与、膣投与もしくは局所投与または注射による投与のための前記薬において処方される、請求項１〜２６のいずれか１項に記載の使用。
【請求項２８】
前記注射が、眼内または眼周囲の注射である、請求項２７に記載の使用。
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
オルトフタル酸、テレフタル酸およびイソフタル酸から選択される少なくとも２種のジカルボン酸の各々の１種または複数の前駆物質を、連続流通反応器内で、触媒の存在下で同時にまたは連続的に酸化剤と接触させる工程を含み、かかる接触が、前記前駆物質および前記酸化剤と共に、超臨界条件下または超臨界点付近の近超臨界条件下の水を含む水性溶剤中で行われることを特徴とする、オルトフタル酸、イソフタル酸およびテレフタル酸から選択される２種以上のジカルボン酸の、同一反応域での同時または連続的製造方法。
【請求項２】
オルトフタル酸の１種または複数の前駆物質を、連続流通反応器内で、触媒の存在下で酸化剤と接触させる工程を含み、かかる接触が、前記前駆物質および前記酸化剤と共に、超臨界条件下または超臨界点付近の近超臨界条件下の水を含む水性溶剤中で行われ、前記前駆物質、酸化剤および水性溶剤が前記反応域中でほとんど単一の均一相を構成し、前記１種または複数の前駆物質の少なくとも一部と前記酸化剤との接触が前記触媒と前記酸化剤の少なくとも一部との接触と同時に行われることを特徴とするオルトフタル酸の製造方法。
【手続補正２】
【補正対象書類名】明細書
【補正対象項目名】０１１５
【補正方法】変更
【補正の内容】
【０１１５】
この実施例は、キシレンの全ての３種の異性体の混合物を同時に酸化して生成物カルボン酸の当量混合物を製造する方法を示す。最終混合物の組成は、メタ−キシレン異性体が他の２種の異性体より反応性であり、反応性の順序がｍ＞ｐ＞ｏであることを示した。最終生成物の予想された組成は３７．７％のＯＰＡ、３１．１％のＴＰＡおよび３１．２％のＩＰＡであった。試料は、異なった二酸の脱炭酸の生成物として安息香酸の存在を示した。
本発明は以下の実施の態様を含むものである。
１．オルトフタル酸、テレフタル酸およびイソフタル酸から選択される少なくとも２種のジカルボン酸の各々の１種または複数の前駆物質を、連続流通反応器内で、触媒の存在下で同時にまたは連続的に酸化剤と接触させる工程を含み、かかる接触が、前記前駆物質および前記酸化剤と共に、超臨界条件下または超臨界点付近の近超臨界条件下の水を含む水性溶剤中で行われることを特徴とする、オルトフタル酸、イソフタル酸およびテレフタル酸から選択される２種以上のジカルボン酸の、同一反応域での同時または連続的製造方法。
２．オルトフタル酸、イソフタル酸およびテレフタル酸の３種全ての同時または連続的製造方法であることを特徴とする前記１に記載の方法。
３．異性カルボン酸生成物の量の比が、対応する前駆物質の量の比にほぼ等しいことを特徴とする前記１に記載の方法。
４．前記前駆物質の少なくとも一部と前記酸化剤との前記接触が、前記触媒と前記酸化剤の少なくとも一部との接触と同時に行われることを特徴とする前記１に記載の方法。
５．前記前駆物質の前記接触が反応域内で非常に急速に行われ、前記反応器の容積を操作条件における反応体の容積流量で割った値として定義される滞留時間が２分未満であることを特徴とする前記１に記載の方法。
６．製造された芳香族カルボン酸のほとんど全てが反応中に溶液中に維持されることを特徴とする前記５に記載の方法。
７．反応後に前記芳香族カルボン酸が、反応媒体から沈殿させられ、前記反応の間に中間体として製造されたアルデヒド５０００重量ｐｐｍ以下を含有することを特徴とする前記６に記載の方法。
８．前記酸化剤または前駆物質が、２つ以上の位置において前記反応に導入されることを特徴とする前記１に記載の方法。
９．沈殿物が、母液から分離されることを特徴とする前記７に記載の方法。
１０．前記母液の少なくとも一部が、前記反応域に再循環されることを特徴とする前記９に記載の方法。
１１．前記母液の少なくとも一部を前記反応域に再循環させる前に、前記母液が前記反応域からの生成物流との熱交換によって予熱されることを特徴とする前記１０に記載の方法。
１２．酸化反応が、１つより多い反応域において行われることを特徴とする前記１に記載の方法。
１３．酸化反応が、１つより多い反応域において行われることを特徴とする前記５に記載の方法。
１４．オルトフタル酸の１種または複数の前駆物質を、連続流通反応器内で、触媒の存在下で酸化剤と接触させる工程を含み、かかる接触が、前記前駆物質および前記酸化剤と共に、超臨界条件下または超臨界点付近の近超臨界条件下の水を含む水性溶剤中で行われ、前記前駆物質、酸化剤および水性溶剤が前記反応域中でほとんど単一の均一相を構成し、前記１種または複数の前駆物質の少なくとも一部と前記酸化剤との接触が前記触媒と前記酸化剤の少なくとも一部との接触と同時に行われることを特徴とするオルトフタル酸の製造方法。
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
硬化可能樹脂と、
前記樹脂中に配置された酸反応性充填剤であって、前記充填剤がシラン処理表面を含み、前記シランがポリ（アルキレンオキシド）基含有シランを含む充填剤と、
を含む歯科用ペースト。
【請求項２】
前記酸反応性充填剤が、金属酸化物、ガラス、およびその組み合わせからなる群から選択される、請求項１に記載の歯科用ペースト。
【請求項３】
前記ペーストが、カプリル酸および／またはその二量体、カプリン酸および／またはその二量体、ステアリン酸および／またはその二量体、オレイン酸および／またはその二量体、およびその組み合わせからなる群から選択される脂肪酸を更に含む、請求項２に記載の歯科用ペースト。
【請求項４】
前記ポリ（アルキレンオキシド）基含有シランが式：
ＸnＳｉ−（−Ｙ−（ＯＣmＨ2m）w−Ｚ）4-n
（式中、Ｘは加水分解可能基；Ｙは飽和または不飽和、置換または非置換の脂肪族および／または芳香族基であり、任意にヘテロ原子を含むことができ；Ｚは飽和または不飽和の脂肪族および／または芳香族基であり、任意にヘテロ原子を含むことができ；ｍ＝２〜４；ｎ＝１〜３；ｗ＝２〜３０である）を有する、請求項１に記載の歯科用ペースト。
【請求項５】
前記シランが、イソオクチルトリメトキシシラン、フェニルトリメトキシシラン、ｎ−オクチルトリメトキシシラン、ドデシルトリメトキシシラン、オクタデシルトリメトキシシラン、プロピルトリメトキシシラン、ヘキシルトリメトキシシラン、３−メルカプトプロピルトリメトキシシラン、３−アミノプロピルトリメトキシシラン、３−ジルシドキシプロピルトリメトキシシラン、およびその組み合わせからなる群から選択されるポリ（アルキレンオキシド）基を含まないシランを更に含む、請求項１に記載の歯科用ペースト。
【請求項６】
前記硬化可能樹脂が、アクリレート類、メタクリレート類、エポキシ類、およびその組み合わせからなる群から選択される、請求項１に記載の歯科用ペースト。
【請求項７】
開始剤を更に含む、請求項１に記載の歯科用ペースト。
【請求項８】
シラン処理表面を含む酸反応性充填剤を硬化可能樹脂と混合する工程を含み、前記シランがポリ（アルキレンオキシド）基含有シランを含む、歯科用ペーストを調製する方法。
【請求項９】
硬化可能樹脂および酸反応性充填剤を含む歯科用ペーストの粘性を低下させる方法であって、前記方法が、媒体およびポリ（アルキレンオキシド）基含有シランを含む成分を混合することにより調製可能な組成物を前記酸反応性充填剤に接触させる工程を含む方法。
【請求項１０】
硬化樹脂と、
前記硬化樹脂中に配置された酸反応性充填剤であって、前記充填剤がシラン処理表面を含み、前記シランがポリ（アルキレンオキシド）基含有シランを含む充填剤と、
を含む歯科用物品。
【請求項１１】
硬化可能樹脂中に酸反応性充填剤を分散させてペーストを形成する工程であって、前記充填剤がシラン処理表面を含み、前記シランがポリ（アルキレンオキシド）基含有シランを含む工程と、
前記ペーストを硬化させて、歯科用ミルブランク、歯科用義歯、矯正装置、人口歯冠、前部充填剤、後部充填剤、および裏層からなる群から選択される歯科用物品を製造する工程と、
を含む、歯科用物品を調製する方法。
【手続補正書】
【提出日】平成18年7月19日(2006.7.19)
【手続補正１】
【補正対象書類名】特許請求の範囲
【補正対象項目名】全文
【補正方法】変更
【補正の内容】
【特許請求の範囲】
【請求項１】
ヒドロキシチロソール富化組成物を生成する方法であって、該方法は、以下：
（ａ）オリーブから植物水を生成する工程；
（ｂ）該植物水に酸を添加し、それにより酸化した植物水を生成する工程；および、
（ｃ）該植物水中に当初に存在したオレウロペインの少なくとも５０％がヒドロキシチロソールに転換されるまでの期間、該酸性化した植物水をインキュベートする工程、
を包含する、方法。
【請求項２】
前記インキュベートする工程が、前記植物水中に当初に存在したオレウロペインの少なくとも７５％がヒドロキシチロソールに転換されるまで行われる、請求項１に記載の方法。
【請求項３】
前記インキュベートする工程が、少なくとも２ヶ月間、そして前記植物水中に当初に存在したオレウロペインの少なくとも９０％がヒドロキシチロソールに転換されるまで、行われる、請求項１に記載の方法。
【請求項４】
前記植物水が、種を取り除いたオリーブの果肉から生成される、請求項１に記載の方法。
【請求項５】
前記インキュベートが、前記植物水が約１：１と約２００：１との間の、ヒドロキシチロソールとオレウロペインとの重量比を有するまで行われる、請求項４に記載の方法。
【請求項６】
前記インキュベートが、前記植物水が約４：１と約２００：１との間の、ヒドロキシチロソールとオレウロペインとの重量比を有するまで行われる、請求項５に記載の方法。
【請求項７】
前記インキュベートが、前記植物水が約１０：１と約１００：１との間の、ヒドロキシチロソールとオレウロペインとの重量比を有するまで行われる、請求項６に記載の方法。
【請求項８】
前記インキュベートが、前記植物水が約３：１と約５０：１との間の、ヒドロキシチロソールとチロソールとの重量比を有するまで行われる、請求項４に記載の方法。
【請求項９】
前記インキュベートが、前記植物水が約５：１と約３０：１との間の、ヒドロキシチロソールとチロソールとの重量比を有するまで行われる、請求項８に記載の方法。
【請求項１０】
前記方法が、他の成分からヒドロキシチロソールを分離するために、インキュベートした植物水を分画する工程をさらに包含する、請求項１に記載の方法。
【請求項１１】
前記方法が、有機溶媒と共にインキュベートした植物水を抽出して、ヒドロキシチロソール中の２０％以上の富化画分を生成する工程をさらに包含する、請求項１に記載の方法。
【請求項１２】
前記方法が、クロマトグラフィーによるヒドロキシチロソールの精製をさらに包含する、請求項１１に記載の方法。
【請求項１３】
前記有機溶媒が、酢酸エチルである、請求項１１に記載の方法。
【請求項１４】
前記酸が、約１と約５との間のｐＨを生じるのに有効な量で添加される、請求項１に記載の方法。
【請求項１５】
前記酸が、約２と約４との間のｐＨを生じるのに有効な量で添加される、請求項１に記載の方法。
【請求項１６】
前記酸が、クエン酸である、請求項１に記載の方法。
【請求項１７】
請求項１２の方法により調製される、ヒドロキシチロソール富化組成物を含む、注射可能な処方物。
【請求項１８】
紫外線放射（ＵＶＲ）に対する曝露の悪影響に対して皮膚を保護するための組成物であって、約１：１と約２００：１との間のヒドロキシチロソールとオレウロペインの重量比を有する薬学的有効量の治療剤を含み、該組成物はこのような保護の必要な被験体への経口投与に適している、組成物。
【請求項１９】
前記重量比が、約４：１と約１００：１との間である、請求項１８に記載の組成物。
【請求項２０】
前記重量比が、約１０：１と約５０：１との間である、請求項１９に記載の組成物。
【請求項２１】
前記被験体がヒトである、請求項１８に記載の組成物。
【請求項２２】
前記治療剤が、以下：
（ａ）オリーブから植物水を生成する工程；
（ｂ）約１と約５との間のｐＨを生じるのに有効な量で、該植物水に酸を添加する工程；および、
（ｃ）該植物水中に最初に存在したオレウロペインの少なくとも７５％がヒドロキシチロソールに転換されるまで、酸性化した植物水をインキュベートする工程、
を包含するプロセスにより、調製される、請求項１８に記載の組成物。
【請求項２３】
前記治療剤が、粉末抽出物を提供するように乾燥される、請求項２２に記載の組成物。
【請求項２４】
前記治療剤が、錠剤、カプセル剤、または丸剤の形態である、請求項２３に記載の組成物。
【請求項２５】
前記治療剤が、液体形態である、請求項２２に記載の組成物。
【請求項２６】
紫外線放射（ＵＶＲ）に対する曝露の悪影響に対して皮膚を保護するための組成物であって、約１：１と約２００：１との間のヒドロキシチロソールとオレウロペインの重量比を有する薬学的有効量の治療剤を含む、組成物。
【請求項２７】
紫外線放射（ＵＶＲ）に対する曝露の悪影響に対して皮膚を保護するための組成物であって、実質的に精製されたヒドロキシチロソール、または実質的に精製されたヒドロキシチロソールとオレウロペインの混合物を含み、該組成物は、経口投与に適している、組成物。
【請求項２８】
フリーラジカルを捕捉するのに有効な量のオリーブポリフェノールを含む経口組成物であって、該オリーブポリフェノールが、約１：１と約２００：１との間のヒドロキシチロソールとオレウロペインの重量比を有する、経口組成物。
【請求項２９】
前記重量比が、約４：１と約１００：１との間の、請求項２８に記載の経口組成物。
【請求項３０】
前記重量比が、約１０：１と約５０：１との間の、請求項２９に記載の経口組成物。
【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
エトノゲストレルウンデカノエートまたはエトノゲストレルデカノエート。
【請求項２】
エトノゲストレルウンデカノエートおよび／またはエトノゲストレルデカノエートおよび／またはエトノゲストレルドデカノエートの避妊薬的および／または治療的有効量を含んでいる避妊および／またはＨＲＴキット。
【請求項３】
男性の避妊および／または男性のＨＲＴのための、請求項２に記載のキット。
【請求項４】
女性の避妊および／または女性のＨＲＴのための、請求項２に記載のキット。
【請求項５】
避妊および／またはＨＲＴ用薬剤の調製のための、エトノゲストレルウンデカノエートおよび／またはエトノゲストレルデカノエートおよび／またはエトノゲストレルドデカノエートの使用。
【請求項６】
上記薬剤が男性の避妊および／または男性のＨＲＴのためのものである、請求項５に記載の使用。
【請求項７】
上記薬剤が女性の避妊および／または女性のＨＲＴのためのものである、請求項５に記載の使用。
【請求項８】
女性の婦人科疾患の治療および／または予防用薬剤の調製ための、エトノゲストレルウンデカノエートおよび／またはエトノゲストレルデカノエートおよび／またはエトノゲストレルドデカノエートの使用。
【請求項９】
女性の婦人科疾患が、子宮内膜症、月経過多、機能性子宮出血、月経前緊張症候群、および月経困難症からなる群から選択される、請求項８に記載の使用。
【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
下記式（Ｉ）：
【化１】
2005532359.tif 000001
［式中：
Ｒ１はＣＯＮＨ２であり；
Ｒ２はＮＲ４Ｒ５であり；
Ｒ３は、Ｈ、ＣＮ、ＣＦ３、ハロゲン、アリール、ヘテロアリール、アルキル、Ｏ−アルキルおよびＳ−アルキルからなる群から選択され；Ｃ４、Ｃ５、Ｃ６またはＣ７のいずれかに結合することができ；
Ｒ４はＨまたはアルキルであり；
Ｒ５は、Ｈ、ＣＯ−アルキル、ＳＯ２−アルキル、ＣＯＮＨ２、ＣＯＮＨ−アルキル、ＣＯＮＨ−アリール、ＣＯＮＨ−ヘテロアリール、ＣＳＮＨ２、ＣＳＮＨ−アルキル、ＣＳＮＨ−アリール、ＣＳＮＨ−ヘテロアリール、ＳＯ２ＮＨ２、ＳＯ２ＮＨ−アルキル、ＳＯ２ＮＨ−アリールおよびＳＯ２ＮＨ−ヘテロアリールからなる群から選択される］
で示される化合物またはその医薬上許容される塩。
【請求項２】
化合物が：
２−アミノ−６−（４−フルオロ−フェニル）−ベンゾ［ｂ］チオフェン−３−ジカルボン酸アミド；および
２−ウレイド−ベンゾ［ｂ］チオフェン−３−ジカルボン酸アミド
からなる群から選択される、請求項１記載の化合物。
【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
以下の一般式1：
【化１】
2005532379.tif 000001
（式中、X-は、単一の負の電荷を持つアニオン、好ましくは塩素、臭素、ヨウ素、硫酸、リン酸、メタンスルホン酸、硝酸、マレイン酸、酢酸、クエン酸、フマル酸、酒石酸、蓚酸、琥珀酸、安息香酸およびp-トルエンスルホン酸のアニオンからなる群から選択されるアニオンを表す）
で表される抗コリン作動薬の一種またはそれ以上を、場合によりエナンチオマー、エナンチオマー混合物、またはそのラセミ体として、場合により溶媒和物または水和物として、一種またはそれ以上のPDE-IV阻害剤(2)と共に含有し、任意に製薬上許容される賦形剤を含有していてもよい、医薬組成物。
【請求項２】
上記式1の化合物において、X-が塩素、臭素、4-トルエンスルホン酸およびメタンスルホン酸からなる群から選択される負に帯電したアニオンである、請求項1に記載の医薬組成物。
【請求項３】
上記活性物質2が、エンプロフィリン、テオフィリン、ロフルミラスト、アリフロ、Bay-198004、CP-325,366、BY343、D-4396(Sch-351591)、V-11294A、AWD-12-281、N-(3,5-ジクロロ-1-オキソ-ピリジン-4-イル)-4-ジフルオロメトキシ-3-シクロプロピルメトキシベンズアミドおよび以下の一般式2aで表される3環式窒素へテロ環式化合物であって、場合によりそのラセミ体、エナンチオマー、ジアステレオマーおよびその混合物、場合によりその互変異性体および場合によりその製薬上許容される酸付加塩：
【化２】
2005532379.tif 000002
（式中、
R1は、C1-C5-アルキル基、C5-C6-シクロアルキル基、フェニル、ベンジルまたは5-または6-員の、飽和または不飽和へテロ環式環を表し、これらの基は1つまたは2つの、酸素および窒素から選択されるヘテロ原子を含むことができ、
R2は、C1-C5-アルキル基またはC2-C4-アルケニル基を表し、
R3は、C1-C5-アルキル基（該アルキル基は、C1-C4-アルコキシ基、C5-C6-シクロアルキル基、フェノキシまたは1つまたは2つの、酸素および窒素から選択されるヘテロ原子を含むことができる、5-または6-員の、飽和または不飽和へテロ環式環によって、場合により置換されていてもよい）；C5-C6-シクロアルキル基、フェニル基またはベンジル基（場合によりC1-C4-アルコキシ基で置換されていてもよい）を表す）
から選択される、請求項1又は２記載の医薬組成物。
【請求項４】
上記活性物質2が、エンプロフィリン、ロフルミラスト、アリフロ、AWD-12-281、N-(3,5-ジクロロ-1-オキソ-ピリジン-4-イル)-4-ジフルオロメトキシ-3-シクロプロピルメトキシベンズアミドおよび上記一般式2aで表される3環式窒素へテロ環式化合物から選択される、請求項1〜3の何れか1項に記載の医薬組成物。
【請求項５】
上記活性物質1対上記活性物質2の比が、1:100〜100:1、好ましくは1:80〜80:1なる範囲内にある、請求項1〜4の何れか1項に記載の医薬組成物。
【請求項６】
該組成物が、吸入に適した処方物形状にある、請求項1〜5の何れか1項に記載の医薬組成物。
【請求項７】
該組成物が、吸入可能な散剤、プロペラント-含有計量エーロゾルおよびプロペラントを含まない吸入可能な溶液または懸濁液から選択される処方物である、請求項6記載の医薬組成物。
【請求項８】
該組成物が、単糖類、二糖類、オリゴ糖類および多糖類、ポリアルコール類、塩類、またはこれら賦形剤相互の混合物から選択される適当な生理的に許容される賦形剤との混合物として、上記活性物質1および2を含む、吸入可能な散剤である、請求項7記載の医薬組成物。
【請求項９】
該医薬組成物が、その成分として、上記活性物質1および2のみを含有する、吸入可能な散剤である、請求項7記載の医薬組成物。
【請求項１０】
該医薬組成物が、溶解された状態または分散された状態で、上記活性物質1および2を含む、プロペラント-含有吸入可能なエーロゾルである、請求項7記載の医薬組成物。
【請求項１１】
該医薬組成物が、プロペラントガスとして、n-プロパン、n-ブタンまたはイソブタン等の炭化水素、もしくはメタン、エタン、プロパン、ブタン、シクロプロパンまたはシクロブタンの塩素化および/またはフッ素化誘導体等のハロ炭化水素を含む、請求項10記載のプロペラント-含有吸入可能なエーロゾル。
【請求項１２】
該プロペラントガスが、TG134a、TG227またはこれらの混合物である、請求項11記載のプロペラント-含有吸入可能なエーロゾル。
【請求項１３】
該溶剤として、水、エタノールまたは水とエタノールとの混合物を含む、プロペラントを含まない吸入可能な溶液または懸濁液である、請求項7記載の医薬組成物。
【請求項１４】
該pHが2〜7、好ましくは2〜5なる範囲内にある、請求項13記載の吸入可能な溶液または懸濁液。
【請求項１５】
場合により、他の補助溶剤および/または賦形剤を含む、請求項13又は14記載の吸入可能な溶液または懸濁液。
【請求項１６】
該補助溶剤として、ヒドロキシル基または他の極性基を含む成分、例えばアルコール、特にイソプロピルアルコール、グリコール、特にプロピレングリコール、ポリエチレングリコール、ポリプロピレングリコール、グリコールエーテル、グリセロール、ポリオキシエチレンアルコールおよびポリオキシエチレン脂肪酸エステルを含む、請求項15記載の吸入可能な溶液または懸濁液。
【請求項１７】
該賦形剤として、界面活性剤、安定化剤、錯化剤、酸化防止剤および/または保存剤、香料、製薬上許容される塩および/またはビタミン類を含む、請求項15または16記載の吸入可能な溶液または懸濁液。
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
オスモポリマー；
浸透剤；
フィルム形成剤；及び
二液溶媒系
を含んでなるコーティング懸濁液であって、コーティング懸濁液が約５重量％〜約７重量％のフィルム形成剤を含み、コーティング懸濁液に含まれるオスモポリマー対浸透剤の比が約０．５：１〜約０．７：１である、投与形態物の発泡性浸透層のためのコーティング懸濁液。
【請求項２】
コーティング懸濁液の合計固体含有率が約１６重量％〜約２０重量％である請求項１のコーティング懸濁液。
【請求項３】
コーティング懸濁液中に含まれるオスモポリマー対浸透剤の比率が約０．６：１である請求項１のコーティング懸濁液。
【請求項４】
二液溶媒系がコーティング懸濁液の約８０重量％〜約８４重量％の割合を占める請求項１のコーティング懸濁液。
【請求項５】
オスモポリマー、浸透剤及びフィルム形成剤がコーティング懸濁液の約１６重量％〜約２０重量％の割合を占め、コーティング懸濁液が約５重量％〜約７重量％のフィルム形成剤、約３重量％〜約６．２重量％のオスモポリマー及び約５．３％〜約１０％の浸透剤を含む請求項１のコーティング懸濁液。
【請求項６】
二液溶媒系がコーティング懸濁液の約８０重量％〜約８４重量％の割合を占める請求項５のコーティング懸濁液。
【請求項７】
二液溶媒系が有機溶媒及び水性溶媒を含み、ここで有機溶媒は水性溶媒と混和性であり、オスモポリマーは有機溶媒中において難溶性である請求項６のコーティング懸濁液。
【請求項８】
二液溶媒系がエタノール及び水を含む請求項６のコーティング懸濁液。
【請求項９】
二液溶媒系中に含まれるエタノール対水の比率が約１：２〜約１：４である請求項８のコーティング懸濁液。
【請求項１０】
フィルム形成剤がヒドロキシエチルセルロース、例えばＮａｔｒａｓｏｌ、ヒドロキシプロピルメチルセルロース、メチルセルロース、ポリビニルアルコール−ポリエチレングリコールグラフトポリマー及びポリビニル−ピロリドンポリマーより成る群から選ばれる材料を含んでなる請求項６のコーティング懸濁液。
【請求項１１】
フィルム形成剤がヒドロキシエチルセルロースを含んでなり、オスモポリマーがＮａＣＭＣを含んでなり、浸透剤がＮａＣｌを含んでなる請求項６のコーティング懸濁液。
【請求項１２】
カプセル内に含有される活性薬剤配合物；
カプセル上に設けられる浸透性コーティング；
半透性層；及び
カプセルと浸透性コーティングの間に位置する場合による障壁層
を含んでなる放出制御投薬形態物であって、浸透性コーティングがオスモポリマー、浸透剤及びフィルム形成剤を含んでなり、オスモポリマー及び浸透剤が一緒になって浸透性コーティングの約５５重量％〜約７６重量％の割合を占め、フィルム形成剤は浸透性コーティングの約２５重量％〜約４４重量％の割合を占める放出制御投薬形態物。
【請求項１３】
中間投薬形態物を準備し；
オスモポリマー、浸透剤、フィルム形成剤及び二液溶媒系を含んでなるコーティング懸濁液であって、コーティング懸濁液が約５重量％〜約７重量％のフィルム形成剤を含み、コーティング懸濁液に含まれるオスモポリマー対浸透剤の比が約０．５：１〜約０．７：１であるコーティング懸濁液を準備し；
中間投薬形態物をコーティング懸濁液でコーティングして中間投薬形態物を浸透性コーティングでコーティングする
ことを含んでなる投薬形態物の作製方法。
【請求項１４】
コーティング懸濁液を用いる中間投薬形態物の該コーティングを湿式プロセス条件下で行なう請求項１３に従う方法。
【請求項１５】
中間投薬形態物の該コーティングを乾式プロセス条件下で行なう請求項１３に従う方法。
【手続補正書】
【提出日】平成18年2月16日(2006.2.16)
【手続補正１】
【補正対象書類名】明細書
【補正対象項目名】００１７
【補正方法】変更
【補正の内容】
【００１７】
他の好ましい態様において、本発明の医薬組成物は、哺乳動物に鼻腔内投与した後、該哺乳動物の中枢神経系の組織または流体中において、少なくとも該哺乳動物の血漿中におけるアセチルコリンエステラーゼ阻害薬の治療的血漿濃度に等しい、好ましくは該哺乳動物の血漿中におけるアセチルコリンエステラーゼ阻害薬のピーク濃度の少なくとも１０％、１５％、２０％、２５％、３０％、より好ましくは３５％、最も好ましくは４０％であるアセチルコリンエステラーゼ阻害薬ピーク濃度をもたらす。好ましくは、該哺乳動物の中枢神経系の組織または流体中におけるアセチルコリンエステラーゼ阻害薬ピーク濃度は、治療的血漿濃度より高い。さらに研究することによりこれの改善が予想される。
【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
Ｃ７〜Ｃ１５の脂肪鎖長を有する長期間作用型エトノゲストレルエステルを避妊用および／または治療用に有効な量含む避妊および／またはＨＲＴにおける注射に使用するための医薬組成物。
【請求項２】
エトノゲストレルウンデカノエートまたはエトノゲストレルデカノエートまたはエトノゲストレルドデカノエートを避妊用および／または治療用に有効な量含む避妊および／またはＨＲＴにおいて使用するための医薬組成物。
【請求項３】
更にアンドロゲンエステルを避妊用および／または治療用に有効な量含む、請求項１または２に記載の医薬組成物。
【請求項４】
前記アンドロゲンエステルが、ＭＥＮＴウンデカノエートである、請求項３に記載の医薬組成物。
【請求項５】
前記ＭＥＮＴウンデカノエートの量が５０〜２００ｍｇであり、エトノゲストレルエステルの量が５０〜１００ｍｇである、請求項４に記載の医薬組成物。
【請求項６】
更にエストロゲンを避妊用および／または治療用に有効な量含む、請求項１または２に記載の医薬組成物。
【請求項７】
避妊および／またはＨＲＴ用医薬の調製のための、Ｃ７〜Ｃ１５の脂肪鎖長を有する長期間作用型エトノゲストレルエステルの使用であって、投与経路が注射による処置である前記使用。
【請求項８】
男性の避妊および／または男性のＨＲＴ用医薬の調製のための、Ｃ７〜Ｃ１５の脂肪鎖長を有する長期間作用型エトノゲストレルエステルの使用であって、前記医薬は、更に避妊用および／または治療用に有効な量の長期間作用型アンドロゲンエステルを含む前記使用。
【請求項９】
前記エトノゲストレルエステルが、エトノゲストレルウンデカノエートおよび／またはエトノゲストレルデカノエートおよび／またはエトノゲストレルドデカノエートである、請求項７または８に記載の使用。
【請求項１０】
避妊用および／または治療用に有効な長期間作用型アンドロゲンエステルが、ＭＥＮＴウンデカノエートである、請求項８に記載の使用。
【請求項１１】
前記ＭＥＮＴウンデカノエートの前記避妊用および／または治療用に有効な量が５０〜２００ｍｇであり、エトノゲストレルエステルの前記避妊用および／または治療用に有効な量が５０〜１００ｍｇである、請求項１０に記載の使用。
【請求項１２】
女性の避妊および／または女性のＨＲＴ用医薬の調製のための、エトノゲストレルウンデカノエートまたはエトノゲストレルデカノエートまたはエトノゲストレルドデカノエートの使用であって、前記医薬は、更に避妊用および／または治療用に有効な量のエストロゲンを含む前記使用。
【手続補正書】
【提出日】平成18年7月7日(2006.7.7)
【手続補正１】
【補正対象書類名】特許請求の範囲
【補正対象項目名】請求項１８
【補正方法】変更
【補正の内容】
【請求項１８】
前記一体型冷却システムが冷却流体の循環用の通路を画成する複合磁性材料を備えることを特徴とする請求項１４記載の磁気回路構成要素。
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
基本サービスシステムまたはセル内の複数のユーザ間の通信のための無線ＬＡＮ（ＷＬＡＮ）システムにおいて、
ポイント−マルチポイント通信をユーザに送信し、前記ユーザから受信するスイッチングアクセスポイント（ＳＡＰ）と、
前記ユーザ間の通信を分離して衝突を防止するために、単一の搬送周波数に各々割り当てられた複数のポートとを備え、
前記周波数の割当は、永続的ではなく、前記ユーザからの送信要求信号と前記ＳＡＰからの送信許可信号とにより達成される動的搬送波割当または疑似ランダム搬送波割当能力を有することを特徴とするシステム。
【請求項２】
前記送信許可信号は、前記ユーザに割り当てられた周波数を示すことを特徴とする請求項１に記載のシステム。
【請求項３】
前記送信許可信号は、前記ユーザに割り当てられた疑似ランダム搬送波を示すことを特徴とする請求項１に記載のシステム。
【請求項４】
前記疑似ランダム搬送波割当は、搬送波の変更手順に沿って前記ユーザの周波数をホッピングすることにより達成され、前記手順は、前記ユーザおよび前記ＳＡＰに予め知られていることを特徴とする請求項１に記載のシステム。
【請求項５】
基本サービスシステムまたはセル内の複数のユーザ間の通信のための無線ＬＡＮ（ＷＬＡＮ）システムにおいて、
ポイント−マルチポイント通信をユーザに送信し、前記ユーザから受信するスイッチングアクセスポイント（ＳＡＰ）と、
前記ユーザ間の通信を分離して衝突を防止するために、単一の空間的ピームに各々割り当てられた複数のポートとを備え、
前記ＳＡＰは、一度に１以上の空間的ピームを受信することを特徴とするシステム。
【請求項６】
ビーム形成を使用して前記空間的ピームを生成することを特徴とする請求項５に記載のシステム。
【請求項７】
無線ＬＡＮ（ＷＬＡＮ）ユーザ端末であって、
送信要求メッセージを送信し、割り当てられた送信搬送波でデータを送信する多周波送信器と、
第１周数で送信許可信号を受信し、割り当てられた受信搬送波でデータを受信する多周波受信器と、
前記多周波受信器と結合され、前記ユーザの割り当てられた送信搬送波および受信搬送波を、前記受信した送信許可信号を用いて決定する周波数制御器と
を備えたことを特徴とするＷＬＡＮユーザ端末。
【請求項８】
前記送信許可信号は、疑似ランダム送信および受信搬送波割当を示すことを特徴とする請求項７に記載のＷＬＡＮユーザ端末。
【手続補正書】
【提出日】平成18年6月20日(2006.6.20)
【手続補正１】
【補正対象書類名】特許請求の範囲
【補正対象項目名】全文
【補正方法】変更
【補正の内容】
【特許請求の範囲】
【請求項１】
デインタレース（ｄｅ‐ｉｎｔｅｒｌａｃｉｎｇ：インタレースの解除）およびフレーム倍増を一体化した装置であって、
規定のフレーム周波数を有するフレームの、インタレースされたビデオ・データを記憶するフレーム・メモリ構成と、
２フレームのうち各フレームのビデオ・データをフレーム周波数の２倍でメモリ構成から取り出し、且つフレーム期間の１／２で完全なデインタレース機能を実行し、プログレッシブ（順次）、フレーム倍増信号を発生し表示装置で受信するための、少なくとも１個のデインタレース回路と、から成る、前記装置。
【請求項２】
第１と第２のデインタレース回路を備え、各回路が２つのシーケンシャル（順次）ラインから同時にビデオ・データを前記メモリ構成から読み出す、請求項１記載の装置。
【請求項３】
第１と第２のライン・メモリを更に備え、更新されたビデオ・データを前記第１と第２のデインタレース回路からそれぞれ受信し、且つこのような更新されたビデオ・データを前記第２と第１のデインタレース回路にそれぞれ書き込む、請求項２記載の装置。
【請求項４】
前記デインタレース回路が、  
フレーム・メモリ構成内に記憶されたビデオ情報に従って、連続的各ビデオ・ラインＮ（Ｎは、連続的各デインタレース処理ごとに１づつ増大する、ゼロ以外の整数値）について更新された動きを発生する動き計算器と、
前記動き計算器からの更新された動き、およびフレーム構成内に記憶されたビデオ情報に従って、デインタレースされた少なくとも１つの現フィールド・ビデオ・ラインを計算する計算ブロックと、を備える、請求項１記載の装置。
【請求項５】
前記計算ブロックが、デインタレースされた連続する２つの現フィールド・ビデオ・ラインを計算する、請求項４記載の装置。
【請求項６】
前記フレーム・メモリ構成中に少なくとも１個のＤＲＡＭ（Ｄｙｎａｍｉｃ  Ｒａｎｄｏｍ  Ａｃｃｅｓｓ  Ｍｅｍｏｒｙ）を含む、請求項１記載の装置。
【請求項７】
前記フレーム・メモリ構成が、
メモリ・コントローラと、
前記少なくとも１個のＤＲＡＭを前記メモリ・コントローラに結合させる物理的インタフェースと、
複数のＦＩＦＯ（Ｆｉｒｓｔ‐Ｉｎ  Ｆｉｒｓｔ  Ｏｕｔ）要素を含んでおり、各要素が前記少なくとも１個のＤＲＡＭとデインタレース回路との間で転送されるデータを保持する、ＦＩＦＯブロックと、から成る、請求項６記載の装置。
【請求項８】
デインタレースとフレーム倍増を一体化した装置であって、
規定のフレーム周波数を有するフレームの、インタレースされたビデオ・データを記憶する、フレーム・メモリ構成と、
連続的ビデオ・ラインの第１の対に関連するメモリ構成からビデオ・データを取り出し、且つデインタレース機能を実行して、デインタレースされた連続的な現フィールド・ビデオ・ラインの第１の対を発生させる、第１のデインタレース回路と、
連続的ビデオ・ラインの第２の対に関連するメモリ構成からビデオ・データを取り出し、且つ前記第１のデインタレース回路で実行されるデインタレース処理と平行して、デインタレース機能を実行し、デインタレースされた連続的な現フィールド・ビデオ・ラインの第２の対を発生させる、第２のデインタレース回路と、から成る、前記装置。
【請求項９】
更新されたビデオ・データを第１および第２のデインタレース回路からそれぞれ受信し、且つこのような更新されたビデオ・データを前記第１および第２のデインタレース回路に書き込むための第１および第２のライン・メモリを更に含む、請求項８記載の装置。
【請求項１０】
各前記デインタレース回路が、
前記フレーム・メモリ構成内に記憶されたビデオ情報に従って、各連続的ビデオ・ラインＮ（Ｎは、連続的各デインタレース処理ごとに１づつ連続的に増大するゼロ以外の整数値）について更新された動きを発生させる、動き計算器と、
前記動き計算器からの更新された動き、および前記フレーム・メモリ構成内に記憶されたビデオ情報に従って、現フィールド・ビデオ・ラインのデインタレースされた対を計算する計算ブロックと、を備える、請求項１記載の装置。
【請求項１１】
前記フレーム・メモリ構成が少なくとも１個のＤＲＡＭを含む、請求項８記載の装置。
【請求項１２】
前記フレーム・メモリ構成が更に、
メモリ・コントローラと、
前記少なくとも１個のＤＲＡＭを前記メモリ・コントローラに結合させる物理的インタフェースと、
複数のＦＩＦＯ（Ｆｉｒｓｔ‐Ｉｎ  Ｆｉｒｓｔ  Ｏｕｔ）要素を含んでおり、各要素は前記少なくとも１個のＤＲＡＭと前記デインタレース回路との間で転送されるデータを保持する、ＦＩＦＯブロックと、を含む、請求項１１記載の装置。
【請求項１３】
インタレースされたビデオをデインタレースする方法であって、
２フレームのうち各フレームのビデオ情報を通常のフレーム周波数の２倍の周波数でメモリから読み出すステップと、
フレーム周波数の１／２で完全なデインタレース処理を実行して、フレームを倍増された順次信号を発生させるステップと、から成る、前記方法。
【請求項１４】
前記デインタレース処理は２つのデインタレース処理を実行するステップから成り、各デインタレース処理が、次に続く１対のビデオ・ラインで実行される、請求項１３記載の方法。
【請求項１５】
各インタレース処理後に更新された情報をその処理に関連するメモリの中に書き込むステップを更に含み、前記２つのデインタレース処理の他方の間にアクセスする、請求項１４記載の方法。